Podtech/llm-jp-corpus-v4-ja_patent huggingface dataset:
(57)【要約】      （修正有）【課題】足の指と指との間を広げる器具であって、伸縮性を有する素材で形成され、内部に気体を注入する可能な袋部と、袋部に気体を注入するポンプと、を備え、袋部は、その表面に足の指が挿入される挿入孔が形成され、袋部の挿入孔に足の指が挿入されポンプによって気体が袋部に注入されることで、足の指と指との間を広げる器具を提供する。【解決手段】足２の指３と指３との間を広げる器具１００であって伸縮性を有する素材で構成され、内部に気体を封入可能な袋部１と袋部１に気体を注入するポンプとを備える。袋部１は，その表面に足２の指３が挿入される挿入孔５が構成され、袋部１の挿入孔５に足２の指３が挿入され、ポンプによって気体が袋部１に注入されることことで、足２の指３と指３との間を広げる器具。【選択図】図１
0003191165.tif 000002
【実用新案登録請求の範囲】
【請求項１】
足の指と指との間を広げる器具であって、伸縮性を有する素材で構成され、内部に注入可能な袋部と、袋部に気体を注入するポンプと、を備え、袋部は、その表面に足の指が挿入される挿入孔が形成され、袋部の挿入孔に足の指が挿入され、ポンプによって気体が袋部に気体を注入されることで、足の指と指と間を広げる器具。
【請求項２】
袋部は、手の形をした風船でっ形成されている請求項１に記載の器具。
【請求項３】
手の形に形成された指を繋げて挿入孔とせず指のまま、足の指と指の間に挿入して，ポンプで気体を袋部に注入されることで、指と指の間を広げる器具。
【考案の詳細な説明】
【技術分野】
【０００１】本考案は、靴等で圧拍されている足の指と指の間に最初から幅や大きさの決まった器具や手の指を嵌め込む、苦痛から救う事に関するものである。
【背景技術】
【０００２】従来の、日頃より靴等で圧迫されてストレスを抱えている、足の指と指の間を広げることで血液の流れを良くして疲れをいやして健康で快適な生活を送ることが出来ると言われて来たが、その足の指が入る切込みの付いた穴を指の数だけ設けてその穴と穴の間に指と指の間が広がる幅を設けてその穴に足の指をさし込み足の指と指の間を広げるか、樹脂等で出来たチップを足の指と指の間に差し込んで広げたり、又は手の指を足の指と指の間に差し込んで広げ、時には苦痛を伴うものだった。
【考案の概要】
【考案が解決するための課題】
【０００３】上記問題点を解決できる伸縮性を有する素材で構成された内部に気体を封入可能な袋部とその袋部の表面に足の指が挿入される挿入孔が構成され、ポンプによって気体が袋部に注入されることで、足の指と指との間を広げる器具を提供することを課題とする。
【課題を解決するための手段】
【０００４】本考案は、伸縮性を有する素材で構成され、内部に気体を封入可能な袋部（１）と、袋部（１）に気体を注入するポンプ（６）とを備え、袋部（１）はその表面に足（２）の指（３）が挿入されれる挿入孔（５）が構成され、袋部（１）の挿入孔（５）に足（２）の指（３）が挿入され、ポンプ（６）によって気体が袋部（１）に注入されることで、足（２）の指（３）と指（３）との間（４）を広げる。
【考案の効果】
【０００５】本考案は、  繊細な血管の通う足の指を無理なく伸縮性を有する素材で出来た袋部に気体を注して、柔軟に足の指と指の間を広げるため、また、指の間の蒸れを取り水虫の予防や治療に役立ち扱う人を苦痛から救い気持ちを穏やかにして血の流れ一層良くして疲労回復に効果を上げ足の指を広げる事を継続することで短い時間で軽快な動きも出来る様になる。
【図面の簡単な説明】
【０００６】
【図１】本考案の足の指を袋部に挿入した実施例を示す表面図である。
【図２】本考案の足裏側の実施図面である。
【図３】本考案の排気弁と逆流防止弁を持たないのポンプ配置図である。
【考案を実施するための最良の形態】
【０００７】足（（２）の指（３）と指（３）との間（４）を広げる器具（１００）である。
伸縮性を有する素材で形成され、内部に気体を封入可能な袋部（１）と、袋部（１）に気体を注入するポンプ（６）とを備え、袋部（１）は、その表面に足（２）の指（３）が挿入される挿入孔（５）が形成され袋部（１）の挿入孔（５）に足（２）の指（３）が挿入され、ポンプ（６）によって気体が袋部（１）に注入されることで足（２）の指（３）と指（３）との間［４］広げる器具（１００）。【０００８】袋部を、手の形ちに形成して、手の形ちに形成した袋部に吸排気口を設けて、その先にホースを設けて、ホースの先にＹ字継手を繋ぎ、Ｙ字継手のもう片方にも同じに設けた、手の形ちに成形した袋部を繋いで一対として、残るＹ字継手にホースを繋ぎ、繋いだホースの先に排気弁と逆流防止弁を備えたポンプを繋ぎ、手の形ちに形成した袋部の指はそれずれの指先を繋げて輪として、足の指を挿入する挿入孔として形成され、足の指が挿入されて、ポンプによって気体が手の形ちに成形した袋部に注入さは、足の指と指の間を広げる。
排気弁と逆流防止弁を持たないポンプには、手の形ちをした袋部に設けた、Ｙ字継手の次に排気弁と逆流防止弁を設ける。
【符号の説明】
【０００９】    １  袋部
２  足
３  足の指
４  足の指と指のあいだ
５  挿入孔
６  ポンプ
７  吸排気口
８  ホース
９  Ｙ字継手
１０  排気弁
１１  逆流防止弁
１００  器具
【図１】
0003191165.tif 000003
【図２】
0003191165.tif 000004
【図３】
0003191165.tif 000005
(57)【要約】      （修正有）【課題】正月だけ楽しむだけでなく日頃も実用的な下駄として有用に活用でき、且つ飾り物としても使える下駄を提供する。【解決手段】下駄１のつま先に柱２を設け、柱２の頂におわん５を止め、すぐ下にひも付きのゴムボール４を柱２に付けたフック６にぶら下げ、柱２の中間部に位置決めの板を設け、この板にある溝にひもを通すことでボール４がつま先の高さに吊り下げられる。柱２に付けたフック６が着脱可能である。下駄に剣玉の機能を持たせたものであり、幼児でもあそべる。また小学生であればサッカーのリフティングの練習にもなる。ゴムボールは柔らかいので危険性はまったく無い。【選択図】図１
0003191150.tif 000002
【実用新案登録請求の範囲】
【請求項１】
一人で遊ぶ場合  下駄のつま先に支柱を設け、支柱の頂におわんを止め、すぐ下にひも付のゴムボールを支柱部に付けたフックにぶら下げる  支柱の中間部に位置きめの板を設け、この板にある溝にひもを通すとボールがつま先の高さに吊り下げられるので、げたを履いてボールをつま先または側面でけるボールは円弧を描き、丁部のおわんでキャッチして遊ぶ遊具である。
【請求項２】
二人でキャッチボールをする場合  前記手順で２個組み立てるがゴムボールは１個だけとし、ひもの先端の金具をフックに引っ掛けなおす。ひとりがボールをけるとフックから、金具が外れるて、ボールは放物線状に飛ぶので、もう一人は待ち受けて、おわんで捕球して、楽しむ。
【考案の詳細な説明】
【技術分野】
【０００１】  本考案は足で剣玉の機能を楽しめる遊具である。
【背景技術】
【０００２】  在来の剣玉は手でしか遊べない構造であった。
【先行技術文献】
【特許文献】
【０００３】
【特許文献１】特許出願２００１−２１４４９４
【特許文献２】実用新案出願平３−６６７７１
【考案の概要】
【考案が解決しようとする課題】
【０００４】  足ではボールをけるに適切な位置きめができない。この欠点を解決しょうとするものである。
【課題を解決するための手段】
【０００５】  下駄のつま先および側面の高さと平面位置にボールがぶら下がるように位置きめ板に３箇所溝をつくりここに紐を引っ掛けた。このことで位置が決められた
【考案の効果】
【０００６】ボールは都合の良い位置に静止した  また紐が緩んだ場合はこの板を上下すれば微調整もできる構造とした。
【図面の簡単な説明】
【０００７】
【図１】本考案の組み立図を示す
【図２】本けまり下駄の立体図である
【考案を実施するための形態】
【０００８】つま先に約２１０ｇの重さが掛かるので釣合のため踵部分にバランス用の１８０ｇの錘を設けた  また不要のときは支柱もおわんも板もビス１本でバラせる形態なため、通常の下駄として供用できる
【実施例】
【０００９】  以下、組み立図にしたがって実施例を説明する・  位置きめ板３を柱２にとおして、柱の底部をビスで下駄に固定、柱の上部の金具にひも付きゴムボールを引っ掛ける  板３をたかさ１３０ｍｍほどで中央の溝は先になるよう固定する。最後におわんを頂部に取り付ける。【００１０】    一人で遊ぶときは柱の輪にフックを通す    二人でキャッチボールをす時はフックを輪の上に引っ掛ける  これによりボールをスイングすれば、フックが外れてボールは相手のほうに飛んでいくことになる
【符号の説明】
【００１１】１  下駄
２  柱
３  位置決め板
４  玉
５  おわん
６  フック
７  釣合おもり
【図１】
0003191150.tif 000003
【図２】
0003191150.tif 000004
【手続補正書】
【提出日】平成26年2月21日(2014.2.21)
【手続補正１】
【補正対象書類名】図面
【補正対象項目名】全図
【補正方法】変更
【補正の内容】
【図１】
0003191150.tif 000005
【図２】
0003191150.tif 000006
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
下駄のつま先に支柱を設け、支柱の頂におわんを止め、すぐ下にひも付きのゴムボールを支柱部に付けたフックにぶら下げ、支柱の中間部に位置決めの板を設け、この板にある溝にひもを通すことでボールがつま先の高さに吊り下げられることを特徴とする下駄。
【請求項２】
支柱部に付けたフックが着脱可能であることを特徴とする請求項１】に記載の下駄。
(57)【要約】      （修正有）【課題】除雪ダンプに於いて雪を掬い及び運搬作業を１輪または２輪の車輪付き、或いは車輪を外し橇の形式で使用でき、更に車輪は雪を掬う際に邪魔にならない位置で、既存の除雪ダンプを加工することなく取り付く構造とした除雪ダンプ用着脱式車輪装置を提供する。【解決手段】車輪の位置をバケット幅に収めるように、車輪はバケットの後方に配置し、簡便に着脱出来る構造の車輪取り付け部を３箇所設けた軽量形鋼３をフレーム１１にＵボルト７により固定する。１輪車で使うときは車輪を中央の１箇所に取り付け、２輪車で使う時は車輪を両側の２箇所に取り付け、車輪を外せば橇の形式で使用出来る。【選択図】図１
0003191149.tif 000002
【実用新案登録請求の範囲】
【請求項１】
１台で１輪車付き又は２輪車付き或いは車輪無しの形態で使用できる除雪ダンプ用車輪装置
【考案の詳細な説明】
【技術分野】
【０００１】
本考案は、必要に応じて車輪を装着及び取り外しが簡便に可能な構造を有した除雪ダンプに関するものである。
【背景技術】
【０００２】
除雪ダンプの中で、車輪付き或いは車輪無しの形式が用途に合わせ利用されている。また、車輪を取り外し可能とし、車輪付きと車輪無しの両方の使い分けの出来る構造の形式（実用新案登録第３０９８２１１号）も考案されている。
【０００３】
しかし、この形式は車輪がバケットの幅より出っ張っており雪を掬う際に車輪が邪魔になる欠点がある。また、１輪車に比べ２輪車では小回りがやり難く、路面幅を広く必要とする欠点もある。
【先行技術文献】
【特許文献】
【０００４】
【特許文献１】実用新案登録第３０９８２１１号
【特許文献２】実用新案登録第３０９５５６３号
【非特許文献】
【０００５】
【非特許文献１】無い
【考案の概要】
【考案が解決しようとする課題】
【０００６】
１台の除雪ダンプに於いて雪を掬い及び運搬作業を１輪または２輪の車輪付き、或いは車輪を外し橇の形式で使用でき、更に付設する車輪は雪を掬う際に邪魔にならない位置で、既存の除雪ダンプを加工することなく組み付け、また時により外せる構造とした車輪装置。
【課題を解決するための手段】
【０００７】
車輪が雪を掬うとき邪魔にならない様、車輪位置はバケット幅内に収めバケットの後方に配置する事と、車輪が簡便に着脱出来る構造とした車輪の取り付け部を３箇所設け、１輪車で使うときは中央の１箇所に車輪を取り付け、２輪車で使う時は両側の２箇所に車輪を取り付ける機能を有した着脱式車輪装置を除雪ダンプに取り外し可能とする為ねじで組み付けする。
【考案の効果】
【０００８】
一般の手押し式運搬車に於いて１輪車よりも２輪車の方がバランス良く運搬作業が出来るが、２輪車分の路面幅が必要であり、特に整備されていない路面を運搬するときは１輪車の方が有利な点や、１輪車は軽量にもなる。本考案は２輪車に於いても車輪の位置がバケット幅より内側に配置されて、雪を掬う際、車輪による雪の抵抗を減らす事ができ、１台で１輪車又は２輪車としての使い分けと更に、車輪を外し軽量にした橇の形での運搬や屋根の雪おろしなど、作業形態に応じた形の使い分けで、作業効率を上げることが出来る。尚、除雪ダンプが破損しても本着脱式車輪装置はUボルトを外し新しい除雪ダンプに組み付ければ再使用が出来る。
【図面の簡単な説明】
【０００９】
【図１】は１輪を取り付けた実施例全体図を示す。
【図２】は２輪を取り付けた実施例全体図を示す。
【図３】は本装置の組み付け部及び車輪の着脱構造を示す。
【考案を実施するための形態】
【００１０】
既存の除雪ダンプの本体フレーム１１にUボルト７を用いて、本考案の着脱式車輪装置を装着する。
【実施例】
【００１１】
軽量形鋼３に補強リブ６を介して軸保持パイプ４を溶接構造により一体化し、軸保持パイプ４にはナット５を付設し、図３の構造に装備した軽量形鋼３を本体フレーム１１にUボルト７により組み付ける。軸９の付いた車輪１０は軸保持パイプ４へ挿入しノブボルト８で固定する。
【００１２】
尚、１輪車と２輪車の使い分けの必要ない場合は、軸保持パイプを１輪用は１箇所、２輪用は２箇所と限定して製作する事も可能である。
【産業上の利用可能性】
【００１３】
除雪作業に限らず物品を運ぶ場合、運搬物の重量や、路面の条件などにより１台で簡便に２輪車と１輪車の使い分けができる本考案の構造は ,それぞれの特徴を活かし効率を上げることのできる手押し式運搬車が提供される。
【符号の説明】
【００１４】
１  バケット
２  取って
３  軽量形鋼
４  軸保持パイプ
５  ナット
６  補強リブ
７  Ｕボルト
８  ノブボルト
９  軸
１０  車輪
１１  本体フレーム
【図１】
0003191149.tif 000003
【図２】
0003191149.tif 000004
【図３】
0003191149.tif 000005
【手続補正書】
【提出日】平成26年3月31日(2014.3.31)
【手続補正１】
【補正対象書類名】実用新案登録請求の範囲
【補正対象項目名】全文
【補正方法】変更
【補正の内容】
【実用新案登録請求の範囲】
【請求項１】
：   除雪ダンプに於いて雪を掬い及び運搬作業を１輪または２輪の車輪付き、或いは車輪を外し橇の形式で使用でき、 既存の除雪ダンプを加工することなく組み付け、また時により外せられるねじ止め構造とし、車輪位置はバケット幅内に収めバケットの後方に配置する事と、車輪が簡便に着脱出来る構造とした車輪の取り付け部を左右両側と中央の３箇所設け、１輪車で使うときは中央の１箇所に車輪を取り付け、２輪車で使う時は両側の２箇所に車輪を取り付ける機能を有した除雪ダンプ用着脱式車輪装置。
(57)【要約】      （修正有）【課題】建具の鏡板の部分に自らの好みで機能性、デザイン性のある箱状の製品を取り付け完成させる建具を提供する。【解決手段】建具本体１に、鏡板の開口を設けそこへ、機能性、デザイン性のある箱状の製品２をはめ込む。取り外しできる押し縁３などを設け固定する。以上からなるインテリア建具である。【選択図】図１
0003191143.tif 000002
【実用新案登録請求の範囲】
【請求項１】
建具の鏡板の部分が容易に外れるようになっており、その開口部分に箱状に出来た機能性かつデザイン性のある製品をいれることで作り上げる建具。
【考案の詳細な説明】
【技術分野】
【０００１】本考案は、建具、フラッシュパネルにおいて意匠となる鏡板の部分が容易に取り外しできる構造でその、取り外した開口に機能性かつデザイン性のある箱状の製品を入れ替えできる建具に関する物である。
【背景技術】
【０００２】従来の建具の鏡板は、意匠として建具の表面に開口を設けそこに同材の平面状の板もしくは、切削作業で面を取った板を入れ外れないように固定していた。
【考案の概要】
【考案が解決しようとする課題】
【０００３】（イ）  従来の建具の鏡板は、固定式でその建具の一部のデザインにすぎなかった。
（ロ）  従来の建具は、設置後その建具のデザイン、機能を気軽に変更できなかった。
【課題を解決するための手段】
【０００４】（イ）  建具本体に鏡板（機能性・デザイン性のある箱状の製品）の開口を設ける。
（ロ）  入れ替えできるように製品を押さえ込むための押し縁などを設ける。
（ハ）  開口寸法にあった機能性、デザイン性のある箱状の製品をもうける。
（イ）に（ハ）をはめ込み（ロ）で固定する。本考案は以上の構成よりなる建具である。
【考案の効果】
【０００５】（イ）建具本体の交換なく建具の模様替えができる。
（ロ）建具本体にデザイン、機能性を持たせることができる。
【図面の簡単な説明】
【０００６】
【図１】本考案の斜視図
【考案を実施するための形態】
【０００７】以下、本考案の実施の形態を説明する。
建具本体（１）に機能性、デザイン性のある箱状の製品（２）を入れる開口を設けそこに、（２）を取り付ける。そして、（２）が外れないように押し縁（３）などでおさえ固定する。
【産業上の利用可能性】
【０００８】      本考案は、建具産業のほかに鏡板の部分に入る製品に携わる産業で利用される。
（ガラス・植物・工芸・アート・など）
【符号の説明】（１）建具本体、（２）機能性、デザイン性のある箱状の製品、（３）押し縁
【図１】
0003191143.tif 000003
(57)【要約】      （修正有）【課題】支柱同士の連結や網の取り付けが簡単にできる園芸用ミゾ付支柱キャップを提供する。【解決手段】長さ１０センチ直径２センチ程の棒状の支柱キャップの上面に中心を挟んで左右３ミリずつの範囲で右より３ミリの諸点から左側へ深さ５ミリ程の網取り付け用のミゾ１を斜めに付ける。そのみぞ下中心線に沿って１つ目の穴３を開け、１つ目の穴の真下横に２つ目の穴４を開け、２つ目の穴の真下横、１つ目の穴の列に戻り３つ目の穴５を開け、３つ目の穴の真下横、２つ目の穴の列に戻り４つ目の穴６を開ける。これらの穴に連結棒を差し入れて柵や棚を作る。又、底辺中心部より上に長さ４センチ程の支柱挿入用の立穴７を開け立穴にはらせん状のミゾをもうける。【選択図】図１
0003191172.tif 000002
【実用新案登録請求の範囲】
【請求項１】
園芸用支柱のキャップとして大小や素材を問わずの、
ミゾ付穴開きのキャプとする、
キャップとなる棒状の長さ１０センチ直径２センチ程の棒状で上部平面の中心を挟んで左右３ミリずつの範囲で右より３ミリの諸点から左側へ深さ５ミリ程のミゾを斜めに付ける、その
みぞ下中心線に沿って１つ目の穴を開ける、その
１つ目の穴の真下横に２つ目の穴を開ける、その
２つ目の穴の真下横、１つ目の穴の列に戻り
３つ目の穴を開ける、その
３つ目の穴の真下横、２つ目の穴の列に戻り
４つ目の穴を開ける、又
キャップ棒の底辺中心部より上に長さ４センチ程の立穴を開け立穴にはらせん状のミゾもある
特徴を持った園芸用ミゾ付支柱キャップ。
【考案の詳細な説明】
【考案の詳細な説明】
【０００１】本考案の請求項１の形態のキャップは種々の支柱に用いることができ、使用が容易で、取り外しも簡単、キャップの穴を通じ連結する棒の使用で容易に柵や棚を作ることが出来る、特に園芸用支柱に使用した場合は非常に容易に柵や柵が設置でき、上部のミゾには網の取り付けが簡単に出来、網を張るのに楽である。網にはつる状の作物を
絡ませたり、棚の中には種々の作物を植えて楽しめる。
【技術分野】
【０００２】本考案はキャップに関するものである。
【考案の概要】
【０００３】
【考案が解決しようとする課題】
【０００４】支柱同士の連結にいろいろなジョイントの使用で手間が掛かる。
【課題を解決するための手段】
【０００５】ミゾと４つの穴開きキャップの考案をした。
【考案の効果】
【０００６】支柱同士の連結を容易にした事と網を張るのを簡単にした
【図面の簡単な説明】
【０００７】
【図１】は、本考案の一実施例を示す正面図である。
【考案を実地するための形態】
【実施例】
【０００８】図１
（１）支柱にキャップを入れる
（２）ミゾからミゾに網を取付け簡単に張れる
（３）１つ目の穴と１つ目の穴に連結棒を差し入れ柵や棚を容易に作ることが出来る。
【符号の説明】
【０００９】  （１）ミゾ        （２）キャップ本体  （３）１つ目の穴
（４）２つ目の穴  （５）３つ目の穴    （６）４つ目の穴
（７）立穴
【図１】
0003191172.tif 000003
(57)【要約】      （修正有）【課題】オクターブ演奏やテンポの速い曲に対応するため選択切換えを容易に行うことができるハーモニカホルダーを提供する。【解決手段】複数のハーモニカを切り換えながら演奏するためのハーモニカホルダーであって、ハーモニカ保持金具４の下部にマグネットシート２を固着し、上下のハーモニカ３，３を保持し、選択的にハーモニカを使用することができる。【選択図】図５
0003191178.tif 000002
【実用新案登録請求の範囲】
【請求項１】
複数のハーモニカを支持して演奏するためのハーモニカホルダーであって、ハーモニカホルダーは、吊り金具とハーモニカ保持金具から成り、吊り金具とハーモニカ保持金具は蝶着すると共に、吊り金具下部にはハーモニカ保持金具の取り付け部が演奏者の顔の方向に向く形で形成し、ハーモニカ保持金具の下部にはマグネットシートが固着され、ハーモニカ保持金具の上下にハーモニカを保持することを特徴とするハーモニカホルダー。
【考案の詳細な説明】
【技術分野】
【０００１】
本考案は、複数のハーモニカを支持して演奏するためのハーモニカホルダーである。
【背景技術】
【０００２】
複音ハーモニカやテンホールズハーモニカを演奏する場合、半音階に移行する場合や調子を変えるとき１本では演奏できないため複数本のハーモニカを使用する必要がある。
【０００３】
両腕が使えない人においては、ギターを弾きながら複音ハーモニカの演奏において、複数のハーモニカを切り換えながら演奏するためには既設のハーモニカホルダーはオクターブ奏法などの演奏技法に制約を受けた。またハーモニカのすばやい切り換えができない欠点があり、テンポの速い曲に対応することが困難である。
【０００４】
両腕が使えない人ギターを弾くには既設のハーモニカホルダーではオクターブ演奏が出来ない。
【０００５】
複音のハーモニカでのオクターブ演奏する場合、一本では演奏できないため複数本のハーモニカを使用する演奏において、ハーモニカの演奏に制約を受けることなく使用できる二段式ハーモニカホルダーが求められる。このため解決する課題は４つである。
【先行技術文献】
【特許文献】
【０００６】
【特許文献１】特開  ２００７―２１２９８6号公報
【考案の概要】
【考案が解決しようとする課題】
【０００７】
第一にハーモニカが安定して支持できること、第二に深くハーモニカをくわえオクターブ奏法やその他の演奏技法において他のハーモニカが邪魔にならないこと、第三にハーモニカの選択切り換えが迅速にしかも確実にできること、第四に単純な構造で価格も安いものであること。
【課題を解決するための手段】
【０００８】
既設のハーモニカホルダーはハーモニカを保持するための枠とハーモニカを水平に保つための保持板とバネで出来ている．保持板は金属なのでＬ字の水平板の裏面に長さ１６５ｍｍ幅２５ｍｍ厚さ５ｍｍのマグネットシートを密着、ハーモニカの上下板も金属なのでハーモニカの上部をマグネットシートに密着させる。使用したいハーモニカを自分から見て押し出すことにより口元へ的確に位置決めが可能である。演奏に最適な位置を決める事が出来る。
【考案の効果】
【０００９】
結合がマグネットシートにより各ハーモニカは独立して前後に移動させることが可能である。すなわち使用したいハーモニカを前もって自分から見て押し出すことにより他のハーモニカが邪魔にならず、演奏が可能である。
【図面の簡単な説明】
【００１０】
【図１】既設のハーモニカホルダーの斜面図
【図２】支持と保持のためのマグネットシートを密着させたハーモニカホルダーの斜面図
【図３】既設のハーモニカホルダーにハーモニカを取り付けた状態の斜面図
【図４】本実施の形態に係わる２本のハーモニカをハーモニカホルダーに取り付けた状態を示す斜視図
【図５】ハーモニカを自分から見て押し出した状態を示す斜面図
【考案を実施するための形態】
【００１１】
本発明の実施形態を、図１、図２、図３、図４、図５で示す。
既設のハーモニカホルダーの保持板に支持と保持のためのマグネットシートが健常者の手の役目となり枠のフレームが腕にあたります。このことで両腕が使えない人やギターを弾きながらオクターブ演奏が容易となる。
【実施例】
【００１２】
図１はハーモニカホルダーの斜視図である。ハーモニカホルダー１は、吊り金具６とハーモニカ保持金具４から構成され、両金具は手で締付け可能な喋ネジ７で連結されている、吊り金具６下部には、ハーモニカ保持金具４の取り付け部分が、演奏者の顔の方向に向く形で形成されており、当該部分を中心に、演奏者の胸部にはハーモニカ３の重みで密着する。吊り金具６は首に掛けるので湾曲してある。ハーモニカ保持金具４の下部にはマグネットシート２を固定されてあり、容易にハーモニカ３を脱着すことが可能であるから演奏者の好みの位置に合わせることができる、図４・５の様になる。
お母さんの歌には(Ａｍ・Ｃ)を使って、Ａｍを下にＣを上で演奏します。
野ばらには(Ｃ・Ｃ♯)を使って、Ｃを下にＣ♯を上で演奏します。
ちいさい秋見つけたには(Ａｍ・Ｃ)を使って、Ａｍを下にＣを上で演奏します。
ロードには(Ａｍ・Ｃ)を使って、Ａｍを下にＣを上で演奏します。
【符号の説明】
【００１３】
１  ハーモニカホルダー
２  マグネットシート
３  ハーモニカ
４  ハーモニカ保持金具
５  バネ
６  吊り金具
７  喋ネジ
【図１】
0003191178.tif 000003
【図２】
0003191178.tif 000004
【図３】
0003191178.tif 000005
【図４】
0003191178.tif 000006
【図５】
0003191178.tif 000007
(57)【要約】      （修正有）【課題】アサリやハマグリ等の潜砂２枚貝及び潜砂巻貝をアカエイの補食から守る、潜砂２枚貝及び潜砂巻貝と牡蠣の共同養殖設備を提供する。【解決手段】海底砂地３に稚貝を放流してアサリやハマグリ等の潜砂２枚貝及び潜砂巻貝４の養殖を行うが、その真上に牡蠣２養殖の網籠１を海流に流されないように海底に杭柱５及びアンカーを設けて固定する。海底砂地の０．３ｍ〜１ｍ上の海中に牡蠣養殖籠を設置し、その牡蠣養殖籠の外形縁下に０．３ｍ〜１ｍ間隔に取り付けた柵７でアカエイの進入を防ぐ。【選択図】図１
0003191174.tif 000002
【実用新案登録請求の範囲】
【請求項１】
アサリやハマグリ等の潜砂２枚貝及び潜砂巻貝をアカエイが捕食をするときに、アカエイの鰭を羽ばたかせた海流で砂地を海中に巻き上げ潜砂２枚貝及び潜砂巻貝を砂上に露出させ捕食を行うが、アカエイの生態形状は平らで広い胴体と鰭で波打つように泳ぎ潜砂２枚貝及び潜砂巻貝の捕食場所に移動することを、潜砂２枚貝及び潜砂巻貝養殖の海底砂地の上に０．３ｍ〜１ｍ高さの海中に牡蠣養殖籠を設置し、その牡蠣養殖籠の外形縁下に０．３ｍ〜１ｍ間隔に金属棒や竹及び木・プラスッチク棒の直径３ｍｍ〜１０ｍｍ長さ０．３ｍ〜１ｍで柵を施してアカエイの進入を防ぎ被害が少なくする効果があることを特徴とした、潜砂２枚貝と牡蠣共同養殖方法設備。
【考案の詳細な説明】
【技術分野】
【０００１】  潜砂２枚貝や牡蠣及び潜砂巻貝をアカエイの捕食から守る、潜砂２枚貝及び潜砂巻貝と牡蠣の養殖に関する物である。
【背景技術】
【０００２】  アサリやハマグリ等の潜砂２貝及び潜砂巻貝を海底砂地に稚貝を放流して養殖を行っていたが、アカエイが捕食をするときに、アカエイの鰭を羽ばたかせ砂を巻き上げて潜砂２枚貝及び潜砂巻貝を捕食し放流養殖の潜砂２枚貝及び潜砂巻貝の生産が減少していた。【０００３】
【特許文献１】特開平９−２６６７３６
【特許文献２】特開２０１０−９０９０９０
【考案の開示】
【考案が解決しようとする課題】
【０００４】  アサリやハマグリ等の潜砂２枚貝及び潜砂巻貝を海底砂地に稚貝を放流して養殖を行っていたが、アカエイが砂を巻き上げてアサリやハマグリ等の潜砂２枚貝及び潜砂巻貝を捕食し、アサリやハマグリ等の潜砂２枚貝及び潜砂巻貝の生産が減少していたことで、牡蠣養殖と組み合わせた共同養殖でアカエイの捕食からアサリやハマグリ等の潜砂２枚貝や牡蠣及び潜砂巻貝の捕食被害から守る課題があった。
【課題を解決するための手段】
【０００５】  アサリやハマグリ等の潜砂２枚貝及び潜砂巻貝を海底砂地に稚貝を放流して養殖を行うが、その真上に牡蠣養殖の長方形や丸形の網籠を海流に流されないように海底に杭柱及びアンカーで固定し、潜砂２枚貝及び潜砂巻貝養殖の海底砂地の上に０．３ｍ〜１ｍ高さの海中に牡蠣養殖籠を設置し、その牡蠣養殖籠の外縁下に０．３ｍ〜１ｍ間隔に金属や竹及び木・プラスッチク棒の直径３ｍｍ〜１０ｍｍ・長さ０．３ｍ〜１ｍを施す柵でアカエイの進入を防ぎ、アサリやハマグリ等の潜砂２枚貝及び潜砂巻貝の生産を向上させる、アサリやハマグリ等の潜砂２枚貝と牡蠣共同養殖方法設備。
【考案の効果】
【０００６】  アサリやハマグリ等の潜砂２枚貝及び潜砂巻貝をアカエイが捕食をするときに、アカエイの鰭を羽ばたかせた海流で砂地を海中に巻き上げアサリやハマグリ等の潜砂２枚貝及び潜砂巻貝を砂上に露出させ捕食を行うが、アカエイの生態形状は平らで広い胴体と鰭で波打つように泳ぎアサリやハマグリ等の潜砂２枚貝及び潜砂巻貝の捕食場所に移動することを、アサリやハマグリ等の潜砂２枚貝及び潜砂巻貝養殖の海底砂地の上に０．３ｍ〜１ｍ海中に牡蠣養殖籠を設置し、その牡蠣養殖籠の外縁下に０．３ｍ〜１ｍ間隔に金属棒や竹及び木・プラスッチク棒の直径３ｍｍ〜１０ｍｍを０．３ｍ〜１ｍの長さを施す柵でアカエイの進入を防ぎ被害が少なくする効果がある、アサリやハマグリ等の潜砂２枚貝と牡蠣共同養殖方法設備。
【考案を実施するための最良の形態】
【０００７】  本考案は、アサリやハマグリ等の潜砂２枚貝及び潜砂巻貝を養殖する砂場にアカエイの侵入を防ぐために、潜砂２枚貝及び潜砂巻貝の養殖砂場の真上に牡蠣養殖の長方形の網籠を海流に流されないように海底に杭柱及びアンカーで固定し、潜砂２枚貝及び潜砂巻貝養殖の海底砂地の上に０．３ｍ〜１ｍ海中に牡蠣養殖籠を設置し、その牡蠣養殖籠の外形縁下に０．３ｍ〜１ｍ間隔に金属棒や竹及び木・プラスッチク棒の直径３ｍｍ〜１０ｍｍを０．３ｍ〜１ｍの長さを取り付けた柵を施した形態のアカエイ被害から守るアサリやハマグリ等の潜砂２枚貝及び潜砂巻貝と牡蠣共同養殖方法設備。
【図面の簡単な説明】
【０００８】
【図１】潜砂２枚貝及び潜砂巻貝と牡蠣共同養殖方法設備の全体側図面
【符号の説明】
【０００９】１  牡蠣養殖籠。
２  牡蠣養殖籠の中の牡蠣。
３  潜砂２枚貝養殖の海底砂地。
４  アサリやハマグリ等の潜砂２枚貝及び潜砂巻貝。
５  牡蠣養殖籠の固定杭柱。
６  海面
７  牡蠣養殖籠に取り付けた柵。
【図１】
0003191174.tif 000003
(57)【要約】【課題】錠本体のフロント板から工具により簡単に付勢力を調整することができるラッチ錠を提供すること。【解決手段】ラッチ係止片１４を扉の一側から突出させるようにカムスライド片１３を介して付勢手段２０により付勢され、ドアレバーの回動操作によりラッチ係止片１４を後退させるハンドル回転カム１０を備えたラッチ錠において、付勢手段２０は、バネ定数が大きいコイルバネ２２，２３ほど小径かつ短小で、各コイルバネの後端側をカムスライド片１３に当接させて同軸に配置し、フロント板側から進退操作可能な調整ネジ２１によりコイルバネ２２，２３に順番当接して押し込むように構成されている。【選択図】図１
0003191189.tif 000002
【実用新案登録請求の範囲】
【請求項１】
ラッチ係止片を扉の一側から突出させるようにカムスライド片を介して付勢手段により付勢され、ドアレバーの回動操作によりラッチ係止片を後退させるハンドル回転カムを備えたラッチ錠において、
前記付勢手段は、バネ定数が大きいコイルバネほど小径かつ短小で、各コイルバネの後端側を前記カムスライド片に当接させて同軸に配置し、フロント板側から進退操作可能な調整ネジにより前記コイルバネに順番当接して押し込むように構成されたラッチ錠。
【請求項２】
前記付勢手段が、大径でばね定数の小さい第１のコイルバネと、第１のコイルバネより小径かつ短小でばね定数が大きい第２のコイルバネと、フロント側にネジ部が、また後部側に前記第２のコイルバネに挿入されるバネ保持部を備えた前記調整ネジと、第１のコイルバネより幅広の押し板とからなり、前記押し板を介して調整ネジにより押圧力が調整可能に構成されている請求項１に記載のラッチ錠。
【考案の詳細な説明】
【技術分野】
【０００１】
本考案はドアレバーの回動操作により開錠できる扉用のラッチ錠に関する。
【背景技術】
【０００２】
扉用のラッチ錠は、特許文献1に見られるようにラッチ係止片を扉の一側から突出させるようにコイルバネにより常時付勢するとともに、ドアレバーの回動操作によりラッチ係止片を後退させて解錠するように構成されている。
一方、ドアレバーは用途により交換可能に構成されており、ドアレバーの重量や長さによってはコイルバネの付勢力が強すぎたり、弱すぎたり、更にはコイルバネのヘタリ、疲労等により錠本体の蓋を開けてラッチ係止片を付勢しているコイルバネを交換する必要がある。
【先行技術文献】
【特許文献】
【０００３】
【特許文献１】特開２００２−３８７７２
【考案の概要】
【考案が解決しようとする課題】
【０００４】
本考案は、このような問題に鑑みてなされたものであって、その目的とするところは、錠本体のフロント板側から工具を挿入するだけでラッチ係止片の付勢力を広い範囲で調整することができるラッチ錠を提案することである。
【課題を解決するための手段】
【０００５】
このような課題を達成するため本考案においては、ラッチ係止片を扉の一側から突出させるようにカムスライド片を介して付勢手段により付勢され、ドアレバーの回動操作によりラッチ係止片を後退させるハンドル回転カムを備えたラッチ錠において、前記付勢手段は、バネ定数が大きいコイルバネほど小径かつ短小で、各コイルバネの後端側を前記カムスライド片に当接させて同軸に配置し、フロント板側から進退操作可能な調整ネジにより前記コイルバネに順番当接して押し込むように構成されている。
【考案の効果】
【０００６】
ばね定数の異なる複数のコイルバネを調整ネジの回動だけで順次有効に作用させることができ、ハンドル回転カムの付勢力を広い範囲で調整できる。
【図面の簡単な説明】
【０００７】
【図１】図（イ）（ロ）は、それぞれ本考案の一実施例をケースの蓋を一部開放して示す側面図と正面図。
【図２】付勢手段の一実施例を示す組み立て斜視図。
【図３】図（イ）（ロ）は、それぞれ付勢手段の動作を示す図。
【考案を実施するための形態】
【０００８】
図１は、本考案の一実施例を示すものであって、挿通孔１１に挿入される図示しないドアレバーにより回動されるハンドルカム１０は、その一端の突部12に後述する付勢手段２０により付勢されたカムスライド片１３が弾接され、ラッチ係止片１４をフロント板１５の窓１６から後退可能に突出させている。
【０００９】
図２は、付勢手段２０の一実施例を示すもので、錠ケース１７のフロント板１５に垂直
に形成されたネジ穴１８に元部が螺合するネジ部２１ａを、先端側にバネ保持部２１ｂを備え、フロント板１５から回動操作で進退可能な調整ネジ２１と、第１のコイルバネ２２と、第１のコイルバネ２２に同軸に収容可能な小径で、かつこのコイルバネ２２よりも短小の第２のコイルバネ２３と、第１のコイルバネ２２より大径で、バネ保持部２１ｂが挿通される押板２４とから構成されている。
なお、図中符号１９は錠ケース１７の蓋を示す。
【００１０】
これらの構成要素は、第１のコイルバネ２２の後端をカムスライド片１３の凸部１３ａに、また第２のコイルバネ２３をカムスライド片１３の凹部１３ｂに挿入し、ついで第１のコイルバネ２２の先端側に押し板２４を当て調整ネジ２１をフロント板１５のネジ窓１８ａから第２のコイルバネ２３に挿通する。
【００１１】
この実施例においてフロント板１５のネジ窓１８ａからねじ回しなどの工具で調整ネジ２１を回動して後方に押し込むと、最初は第１のコイルバネ２２だけが押し込まれる（図３（イ））。
このコイルバネ２２は、第２のコイルバネ２３よりもばね定数の小さなものが選ばれているのでカムスライド片１３の押圧力が弱く、レバーハンドルの回動操作に必要な力を弱めに設定できる。そして調整ネジ２１のねじ込み量が第２のコイルバネ２３に当接するまではこの第１のコイルバネ２２のばね定数に応じでレバーハンドルの回動操作力を徐々に強めることができる。
【００１２】
さらに、調整ネジ２１を押し込むと、第１のコイルバネ２２のばね定数よりもバネ定数の大きな第２のコイルネジ２３が圧縮されるため（図３（ロ））、付勢力が強くなる。そしてその力は第２のコイルバネ２３のばね定数に対応して押し込み量に比例して増大する。
【００１３】
なお、上述の実施例においてはコイルバネを２本使用して付勢手段を構成しているが、３本以上使用すればより広範囲に付勢力を調整することができることは明らかである。  すなわちバネ定数が大きいコイルバネほど小径かつ短小として後端側をカムスライド片１３に当接させて同軸状に配置し前方側（フロント板側）から調整ネジで各バネを順番に押し込むようにすればよい。
【符号の説明】
【００１４】
１０  ハンドル回転カム    １１  ドアレバー挿通孔    １２  突部    １３  カムスライド片    １４  ラッチ    １５  フロント板    １７  錠ケース  １８  ネジ穴    ２０  付勢手段    ２１  調整ネジ    ２２  第１のコイルバネ    ２３  第２のコイルバネ    ２４  押板
【図１】
0003191189.tif 000003
【図２】
0003191189.tif 000004
【図３】
0003191189.tif 000005
(57)【要約】      （修正有）【課題】足のつぼを正確に押圧することができ、使用者自らが容易に指圧つぼの位置および圧力を任意に変えて、マッサージを行うことができる靴下を提供する。【解決手段】マッサージを受ける施療者の指圧つぼの各位置にマッサージ用突起物２を挿入することが可能なポケット構造体１を有し、施療者自らが任意の素材、大きさ、形状の突起物を挿入することを可能とした。靴下を施療者の足に接する部分とポケット構造を有する部分の２重構造５とすることで、着脱が容易になり、外側の素材に靴下本体４よりも伸縮性が高く薄い生地を用いることにより、大きさの異なる突起物にも対応が可能となる。【選択図】図１
0003191181.tif 000002
【実用新案登録請求の範囲】
【請求項１】
足のつぼの各位置にマッサージ用の突起物を有するマッサージ靴下であって、前記突起物はポケット構造体の内部に出し入れ口により挿入されており、前記ポケット構造体は靴下本体の底部に脱着可能であって、前記靴下本体と前記ポケット構造体とで二重構造体となっていることを特徴とするマッサージ靴下。
【請求項２】
前記ポケット構造体の素材は、前記靴下本体よりも伸縮性が高く薄い生地であることを特徴とする請求項１記載のマッサージ靴下。
【考案の詳細な説明】
【技術分野】
【０００１】
本考案は、足のマッサージに関し、つぼの各位置に設けたポケット構造に適宜押圧用の突起物を挿入し、確実に目的のつぼを押圧できるマッサージ機能を有する靴下に関する。
【背景技術】
【０００２】
従来、足の裏を押圧することは、健康に良いとされ、足裏全体が適度に刺激される履物、中敷、青竹踏み、サンダルの表面に突起部を付けた器具、靴下などがある。また、靴下においては、突起を底部に形成したものや、底部の縫いこみ式カエシの中へ突起を出し入れすることで指圧が出来る靴下（例えば、特許文献１）などがある。
【先行技術文献】
【特許文献】
【０００３】
【特許文献１】特開２００６−２２３７７０号公報
【考案の概要】
【考案が解決しようとする課題】
【０００４】
特許文献１に開示される従来の足裏指圧健康靴下は、突起物の取り外しが可能なものであるが、突起物が飛び出しにくい構造とするために縫いこみ式のカエシを持ち、突起物の形状、サイズによっては出し入れが困難であるという課題があった。また、突起物と靴下とが一体構造である為に、適宜位置を変えることができないという課題があった。
本考案は、前記課題を解消するためになされたもので、使用者自らが容易に指圧つぼの位置および圧力を任意に変えて、マッサージを行うことができる靴下を提供することを目的とする。
【課題を解決するための手段】
【０００５】
上記目的を達成する為に、本考案のある態様に係る靴下は、足のつぼの各位置にマッサージ用の突起物を有するマッサージ靴下であって、前記突起物は靴下の底部に接着・脱着可能なポケット構造の内部に出し入れ口により挿入されており、前記ポケット構造は靴下の底部に対して二重構造となっていることを特徴とする
また、その靴下において、前記ポケット構造の素材は伸縮性が高く、薄い生地であることが好ましい。
【考案の効果】
【０００６】
本考案に係る靴下によれば、施療者（利用者）自らが押圧するつぼの位置や突起物の素材、大きさ、形状を任意に選択し、つぼへの圧力を任意に変更することにより、特定部位の足反射区だけを刺激することが可能であり、反射区に相当する身体各部の機能を保全、強化し、健康増進に役立てるという効果を期待できるほか、血行促進、疲労回復等の効果が期待できる。
また、本考案に係る靴下によれば、個人個人の足のサイズに伸び縮みし、押圧刺激により健康増進効果を高めることができ、手軽に場所を問わず簡単にマッサージ効果を期待できる。なお、本考案に係る靴下を施療者の足に接する部分とポケット構造を有する部分を二重構造とすることで、着脱時の引っ掛かりを抑制し、着脱を容易に行うことを可能にする。さらに、外側の素材に伸縮性が高く薄い生地を用いることにより、二重構造とした際の嵩張りを軽減し、大きさの異なる突起物にも対応が可能な構造となる。
【図面の簡単な説明】
【０００７】
【図１】本考案に係る靴下の断面図である。
【図２】本考案に係る靴下の足底図である。
【図３】本考案に係る靴下のポケット構造の断面図である。
【図４】本考案に係る靴下のポケット構造の拡大図である。
【図５】本考案に係る靴下の突起物の拡大図である。
【考案を実施するための形態】
【０００８】
本考案の靴下について、図を用いて以下に説明する。図１は、本考案のマッサージ靴下に足を通して実施している状況を示す図である。靴下本体４の本体足底部に、突起物を有するポケット構造体１が複数取り付けられ、靴下本体４と共に二重構造体５を形成している。ポケット構造体１は靴下本体４の底部に粘着されている。ポケット構造体１は、靴下本体４に対して着脱が自由である。両者は、例えば、面ファスナー等で着脱出来るようにしても良い。
図２は、本考案の靴下の底部を示し、複数のポケット構造体が二重構造体の内部に存在し、ポケット構造体の内部には突起物が存在する様子を示している。
また、図３は、ポケット構造体の拡大断面構造を示している。突起物が出し入れ口を介してポケット構造体の内部に挿入されている。
【０００９】
本考案は以上のような構造で、足裏指圧健康靴下を使用するときは、いつもの通りに靴下を履くと、自分の体重で突起物に力がかかり足を上げたり下げたりという動きで、足の裏をマッサージすることが出来る。
また、使用者の要望に応じて、靴下を着用したまま突起物を簡単に出し入れできる。突起物の形状、寸法は問わないが、例えば図５の形状が挙げられる。突起物の材質は問わないが、摩擦力の大きいものを使用すると滑りにくくて良い。
ポケット構造体の数、寸法、配置は問わないし、任意に変更することができる。ポケット構造体の素材は問わないが、靴下本体よりも伸縮性のある素材にすることで異なる大きさの突起物に対応できる。
また、ポケット構造体の形状は問わないが、出し入れ口を設け、そこを狭くすることで突起物が靴下から脱落しないようすることができる。また、ポケット構造への引っ掛かりを防ぐため靴下底部を二重構造にしている。
【符号の説明】
【００１０】
ポケット構造体
突起物
出し入れ口
靴下本体
二重構造体
【図１】
0003191181.tif 000003
【図２】
0003191181.tif 000004
【図３】
0003191181.tif 000005
【図４】
0003191181.tif 000006
【図５】
0003191181.tif 000007
(57)【要約】      （修正有）【課題】片面に集中した平面的なデザインのペンダントを試験管を使う事により３６０度どこからでも立体的に見える試験管ペンダントを提供する。【解決手段】ガラス製又は、樹脂製の試験管１にアクセサリー材料４，５を入れ、レジン（樹脂）３で固める事により中のデザインを３６０度立体的に楽しむ事ができるようになる。試験管１の口部分に吊下げフック付きのキャップ２を取り付ける事によりチェーン・紐などが取り付けられペンダントとして使えるようになる。【選択図】図１
0003191465.tif 000002
【実用新案登録請求の範囲】
【請求項１】
ガラス製又は樹脂製の試験管の中に、アクセサリー材料を入れてレジン（樹脂）で固める事により周囲３６０度から見えレンズ効果により立体的なペンダントとして使用できる事を特徴とする試験管ペンダント
【請求項２】
前記、請求項１の形状の試験管の口部分に吊下げフック付きのキャップを取り付ける事によりチェーンや紐を通して吊下げできる事を特徴とする請求事項１記載の試験管ペンダント
【請求項３】
前記、請求項２の形状の試験管の中に、液体（水・オイル等）を入れ斜めにしたり逆さまにすると中のアクセサリー材料が動いたり、流動したりできる事を特徴とする請求事項２記載の試験管ペンダント
【考案の詳細な説明】
【技術分野】
【０００１】本考案は、試験管の中にアクセサリー材料を入れレジン（樹脂）等で固める事によりレンズ効果と立体感のあるペンダントの構成に関する。
【背景技術】
【０００２】一般的なペンダントは、片面いわゆる正面からのデザインが多く立体感がないと言う事もあり本考案実施した。。
【考案の概要】
【考案が解決しようとする課題】
【０００３】本考案は、片面に集中した平面的なデザインのペンダントを試験管を使う事により周囲３６０度どこからでも立体的に見えるペンダントを提供する事にある。
【課題を解決するための手段】
【０００４】上記の課題を解決すべく本考案者は鋭意検討した結果、上記の課題は次のような手段によって解決出来る事がわかった。
ガラス製及び、樹脂製の試験管にアクセサリー材料を入れ、レジン（樹脂）で固める事により周囲３６０度から立体的にデザインを楽しむ事ができるようになった。【０００５】試験管の素材は、ガラス又は樹脂でできており透明で、ジレン（樹脂）を入れる事でレンズ効果が得られ、試験管の中の小さな空間の立体性を増す事ができるようになった。【０００６】試験管の口部分に吊下げフック付きのキャップを取り付ける事によりチェーン・紐などが取り付けられるようになり、ペンダントとして使えるようになった。【０００７】試験管を切断する事によりデザインに合わせた長さを調整できるようになった。
【考案の効果】
【０００８】試験管と言う素材を使う事により、周囲３６０度及び下からも見えるペンダントができる。【０００９】レジン樹脂で固める事により、レンズ効果があり中のデザインの立体性を増す事ができる。【００１０】試験管の長さを調節する事により多様なデザインに対応する事ができる。
【考案を実施するための形態】
【００１１】本案件の試験管の口部分にチェーンや紐を通せるフック付きのキャップ（図１）２を取り付ける事によりペンダントとして使用できる。
【００１２】試験管は、一般的な理化学実験で使うガラス製や樹脂製を用いる。
【００１３】アクセサリー材料とは、天然石、金属や樹脂の小さなアクセサリーなどであるが、例えば海のデザインであれば貝殻、海草なども入れる事ができる、デザインによりいろいろな材料を入れて作る事ができる。
【００１４】レジン（樹脂）は、２液混合で透明なもので、液状から時間の経過と共に固まるものを使う。
試験管の口部分にゴム栓を取り付ければ、防水構造となり水やオイルでも使用できる。
【００１５】レジン（樹脂）に顔料を入れる事により色を付ける事ができる。
【実施例】
【００１６】以下本考案を図面を用いて詳細に説明する。
試験管（図１）１に、アクセサリー材料を（図１）４や（図１）５の位置に入れる。
試験管にレジン（樹脂）を（図１）３に流し込む、アクセサリー材料が（図１）のように位置が違う階層的なものについてはレジン（樹脂）を時間を置いて段階的に流し込むか、試験管を斜めにしてアクセサリー材料が下に落ちないようにしてレジン（樹脂）を流し込む方法がある。
レジン（樹脂）が完全に固まった状態で、（図１）２の吊下げフック付きキャップを試験管に接着剤で取り付けて固定する。
【産業上の利用可能性】
【００１７】本考案では、主にアクセサリー材料を入れそれを固める構造になっているが、液体例えば水やオイルを入れる事により傾けたり逆さまにすると中のアクセサリー材料が動いたり、流動したりするデザインも可能となる。
また、試験管の口の部分をネジ切り加工しキャップが開け閉めできる場合、水、オイルの色を時折変更する事ができる。
【図面の簡単な説明】
【００１８】
【図１】本考案の実施例に係る主要部の構成を示す図である。
【符号の説明】
【００１９】１：試験管
２：吊下げフック付きキャップ
３：レジン（樹脂）が入る場所
４：アクセサリー材料
５：アクセサリー材料
【図１】
0003191465.tif 000003
【手続補正書】
【提出日】平成26年4月7日(2014.4.7)
【手続補正１】
【補正対象書類名】実用新案登録請求の範囲
【補正対象項目名】請求項２
【補正方法】変更
【補正の内容】
【請求項２】
前記試験管の口部分に吊下げフック付きのキャップを取り付けることによりチェーンや紐を通して吊下げできることを特徴とする請求項１記載の試験管ペンダント。
【手続補正２】
【補正対象書類名】実用新案登録請求の範囲
【補正対象項目名】請求項３
【補正方法】変更
【補正の内容】
【請求項３】
前記試験管の中のレジンに代えて液体を入れ、斜めにしたり逆さまにすると中のアクセサリー材料が動いたり、流動したりできることを特徴とする請求項２記載の試験管ペンダント。
(57)【要約】      （修正有）【課題】家庭で手軽に、食品の脱水ができる小型の食品用脱水機を提供する。【解決手段】脱水槽１を有する筺体と、脱水槽を覆う開閉可能な蓋とからなる食品用脱水機であって、筺体にタイマー２、電源ボタン３及び排水ホース４を備える。【選択図】図１
0003191467.tif 000002
【実用新案登録請求の範囲】
【請求項１】
家庭のキッチンで食品の脱水ができる小型の脱水機であり、タイマ−を有することを特徴とする食品用脱水機
【考案の詳細な説明】
【技術分野】
【０００１】  本考案は、食品の水分を絞って脱水する脱水機に関するものである。
【背景分野】
【０００２】  従来例えば、野菜の福神漬を家庭でつくる場合、塩漬けした野菜の水分を抜くために、手で絞ることが多かった。手では、力を要するため高齢者や力が弱い人にとって難しい面が少なからずあった。また、健康な人でも手で絞っての脱水には限界があった。
【考案の概要】
【考案が解決しようとする課題】
【０００３】  野菜等の食品の水分を抜く場合、簡単に脱水する機械を提供する。
【課題を解決するための手段】
【０００４】  本考案は、洗濯用の２槽式洗濯機の脱水機の方だけを、キッチンで料理用に使える様に小型化し食品の脱水を簡単にできるようにする。
【考案の効果】
【０００５】  例えば豆腐を使った白あえなど、健康によく美味しいメニュ−を簡単に作ることができるため、忙しい仕事を持つ主婦や、手の力の弱い高齢者に於いて手作りのおかずを作る機会を増やすことができる。また、農家の野菜の最盛期には、短期間に大量の野菜が採れるため、生のままでは腐らせたりすることがあり、無駄が出てもったいない状況であった。これを、脱水して加工することにより、無駄なく使うことができる。手作りであるので、塩加減などを好みのものにすることができる。
【図面の簡単な説明】
【０００６】
【図１】食品用脱水機の蓋をあけ、ななめ上から見た図
【考案を実施するための形態】
【０００７】  ２槽式洗濯機の脱水機の部分のみ、分離しキッチンに於いて食品の脱水に使えるように小型化する。
【実施例】
【０００８】  以下添付図に従って、一実施例を説明する。１は、脱水槽であり、２の、タイマ−、３の電源ボタン  ４の排水ホ−スを有する。
【符号の説明】
【０００９】１  脱水槽
２  タイマ−
３  電源ボタン
４  排水ホ−ス
【図１】
0003191467.tif 000003
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
脱水槽を有する筐体と、前記脱水槽を覆う開閉可能な蓋とからなる食品用脱水機であって、前記筐体にタイマー、電源ボタン及び排水ホースを備えたことを特徴とする食品用脱水機。